(57)【要約】  複数の空気調和機を管理する空調管理装置において、複数の空気調和機から運転情報を取得する通信部と、複数の空気調和機にそれぞれ対応する複数のアイコンを予め定められた座標位置に表示する表示部と、表示部に表示される複数のアイコンを絞り込むための絞り込み条件が入力される操作部と、表示部を制御する制御部と、を備える構成とした。また、制御部は、操作部に入力された絞り込み条件に応じて、表示部の予め定められた座標位置における複数のアイコンの表示または非表示を切り替えるものである。  上記構成により、表示部に表示される複数のアイコンが絞り込み条件に応じて任意に絞り込み表示されるため、空調管理装置で多数の空気調和機を管理する場合でも、運転情報の認識性および空気調和機の操作性が向上する。
2016103455.tif 000002
【特許請求の範囲】
【請求項１】
複数の空気調和機を管理する空調管理装置であって、  前記複数の空気調和機から運転情報を取得する通信部と、  前記複数の空気調和機にそれぞれ対応する複数のアイコンを予め定められた座標位置に表示する表示部と、  前記表示部に表示される前記複数のアイコンを絞り込むための絞り込み条件が入力される操作部と、  前記表示部を制御する制御部と、を備え、  前記制御部は、前記操作部に入力された前記絞り込み条件に応じて、前記表示部の前記予め定められた座標位置における前記複数のアイコンの表示または非表示を切り替えるものである空調管理装置。
【請求項２】
前記複数のアイコンの各々は、前記空気調和機を示す基本レイヤーと、前記通信部が取得した前記運転情報に対応する１以上の表示レイヤーとを含むものである請求項１に記載の空調管理装置。
【請求項３】
前記制御部は、前記通信部が取得した前記運転情報に応じて、前記複数のアイコンの表示を前記表示レイヤー毎に更新するものである請求項２に記載の空調管理装置。
【請求項４】
前記絞り込み条件は、前記表示レイヤーに対応するものである請求項２または３に記載の空調管理装置。
【請求項５】
前記通信部が取得した前記運転情報を、前記表示レイヤーに関連付けられたフラグとして記憶する記憶部をさらに備える請求項２〜４の何れか一項に記載の空調管理装置。
【請求項６】
前記制御部は、前記記憶部に記憶されるフラグに基づき、前記複数のアイコンのうち、前記操作部に入力された前記絞り込み条件に該当するアイコンのみを前記表示部に表示させるものである請求項５に記載の空調管理装置。
【請求項７】
前記表示部は、複数の前記絞り込み条件を表示するものであり、  前記操作部を介して前記表示部に表示された複数の前記絞り込み条件の何れかが選択されることにより、前記絞り込み条件が入力されるものである請求項１〜６の何れか一項に記載の空調管理装置。
【請求項８】
前記運転情報は、前記空気調和機におけるエラーの発生の有無、設定温度、運転状況、スケジュール機能のＯＮまたはＯＦＦ、省エネ機能のＯＮまたはＯＦＦ、電力量ランキング、もしくは在室の検出または未検出に関する情報を含む請求項１〜７の何れか一項に記載の空調管理装置。
【請求項９】
前記表示部および前記操作部はタッチパネルで構成されるものである請求項１〜８の何れか一項に記載の空調管理装置。
【請求項１０】
前記操作部は、前記複数の空気調和機に対する指示が入力されるものであり、  前記制御部は、前記操作部に入力された前記指示に基づいて、前記複数の空気調和機を制御するものである請求項１〜９の何れか一項に記載の空調管理装置。
【発明の詳細な説明】
【技術分野】
【０００１】  本発明は、空気調和機の監視および制御を行う空調管理装置に関する。
【背景技術】
【０００２】  従来、ビル用マルチエアコンなどの複数の空気調和機を備えるシステムにおいて、一台の管理装置によって各空気調和機の制御を行うことが知られている。また、このような管理装置（集中制御装置）が、システム内の空気調和機等の動作状況を表示するとともに、表示される空気調和機等に対する指示の入力を受け付けるタッチパネルを備えることも知られている（例えば、特許文献１）。
【先行技術文献】
【特許文献】
【０００３】
【特許文献１】特開平５−３００６１８号公報
【発明の概要】
【発明が解決しようとする課題】
【０００４】  ここで、管理装置においては、複数の空気調和機を直感的に視認および操作するために、複数の空気調和機を示すアイコンを平面図上の座標位置に並べて表示することが考えられる。この場合、特に多数の空気調和機が管理装置に接続されている場合には、画面上に多数のアイコンおよび運転情報が密集して表示されるため、認識性および操作性が低下する。【０００５】  本発明は上記の課題を解決するためになされたもので、空気調和機を管理する空調管理装置において、空気調和機の運転情報の認識性および操作性の向上を実現する空調管理装置を提供することを目的とする。
【課題を解決するための手段】
【０００６】  本発明に係る空調管理装置は、複数の空気調和機を管理する空調管理装置であって、複数の空気調和機から運転情報を取得する通信部と、複数の空気調和機にそれぞれ対応する複数のアイコンを予め定められた座標位置に表示する表示部と、表示部に表示される複数のアイコンを絞り込むための絞り込み条件が入力される操作部と、表示部を制御する制御部と、を備え、制御部は、操作部に入力された絞り込み条件に応じて、表示部の予め定められた座標位置における複数のアイコンの表示または非表示を切り替えるものである。
【発明の効果】
【０００７】  本発明に係る空調管理装置では、表示部に表示される複数のアイコンが絞り込み条件に応じて任意に絞り込み表示されるため、空調管理装置で多数の空気調和機を管理する場合でも、運転情報の認識性および空気調和機の操作性が向上する。
【図面の簡単な説明】
【０００８】
【図１】本発明の実施の形態における空調管理システムの概略構成を示す図である。
【図２】本発明の実施の形態における操作表示部に表示される管理画面の一例を示す図である。
【図３】本発明の実施の形態における操作表示部に表示されるアイコンのレイヤー構成の一例を示す図である。
【図４】本発明の実施の形態における操作表示部に表示される条件選択画面の一例を示す図である。
【図５】本発明の実施の形態におけるアイコン表示処理を示すフローチャートである。
【図６】本発明の実施の形態における記憶部に記憶される運転情報の例を示す図である。
【図７】本発明の実施の形態における絞り込み表示処理を示すフローチャートである。
【図８】本発明の実施の形態における絞り込み表示処理が行われた管理画面の一例を示す図である。
【図９】本発明の変形例におけるアイコンのレイヤー構成の一例を示す図である。
【図１０】本発明の変形例における操作表示部に表示される条件選択画面の一例を示す図である。
【発明を実施するための形態】
【０００９】  以下に、本発明における空調管理装置の実施の形態を図面に基づいて詳細に説明する。  図１は、本発明の実施の形態に係る空調管理システム１００の概略構成を示す図である。図１に示すように、空調管理システム１００は、複数の空気調和機１ａ〜１ｆおよび空調管理装置２から構成される。本実施の形態では、６台の空気調和機１ａ〜１ｆが空調管理装置２に接続され、空調管理装置２によって管理される。具体的には、空調管理装置２によって、６台の空気調和機１ａ〜１ｆの運転状況の監視および運転の制御が行われる。なお、空調管理装置２に接続される空気調和機の台数はこれに限定されるものではなく、１台以上の任意の台数を接続可能である。
【００１０】  空気調和機１ａ〜１ｆは、空調管理装置２による制御の下、室内の空調（暖房、冷房または送風など）を実施する室内ユニットである。なお、複数の空気調和機１ａ〜１ｆは、室外ユニット、給湯ユニット、換気扇、もしくはロスナイなどの機器、またはこれらの組み合わせであってもよい。
【００１１】  空調管理装置２は、制御部２１、記憶部２２、操作表示部２３、報知部２４、および通信部２５を備える。制御部２１は、マイクロコンピュータまたはＤＳＰ（Digital Signal Processor）などで構成され、空気調和機１ａ〜１ｆおよび空調管理装置２の各部の制御を行う。具体的には、制御部２１は、操作表示部２３に入力される指示に基づき空気調和機１ａ〜１ｆを制御するとともに、空気調和機１ａ〜１ｆの運転情報に基づき、操作表示部２３の表示および報知部２４の報知を制御する。記憶部２２は、例えば不揮発性メモリなどで構成され、制御部２１の制御に用いられる各種データおよびプログラムなどを記憶する。記憶部２２は、さらに空気調和機１ａ〜１ｆの運転情報を記憶する。
【００１２】  操作表示部２３は、例えばタッチパネルで構成される。操作表示部２３は、制御部２１の制御の下、空気調和機１ａ〜１ｆにそれぞれ対応する複数のアイコン１０ａ〜１０ｆを表示する（図２）。また、操作表示部２３に表示されたアイコン１０ａ〜１０ｆに対して、ペンタッチやフィンガータッチなどの操作を行うことで、空気調和機１ａ〜１ｆの選択および指示が入力される。なお、別の実施の形態では、空気調和機１ａ〜１ｆに対応するアイコン１０ａ〜１０ｆを表示する表示部（例えばディスプレイ）と、空気調和機１ａ〜１ｆへの指示が入力される操作部（例えば各種キー）とを別個に構成してもよい。
【００１３】  報知部２４は、例えばブザーまたはスピーカーで構成される。報知部２４は、制御部２１の制御の下、空調管理装置２または空気調和機１ａ〜１ｆの異常を音や音声で報知する。通信部２５は、空気調和機１ａ〜１ｆと無線または有線通信を行い、データの送受信を行う。具体的には、通信部２５は、制御部２１から空気調和機１ａ〜１ｆへの制御信号を送信するとともに、空気調和機１ａ〜１ｆから制御部２１へ運転情報を送信する。
【００１４】  続いて、操作表示部２３の表示について説明する。図２は、操作表示部２３に表示される管理画面２３１の一例を示す図である。図２に示すように、管理画面２３１は、空気調和機１ａ〜１ｆが設置されているフロアマップを表す平面図３０と、メニューボタン４０とを含む。また、空気調和機１ａ〜１ｆにそれぞれ対応するアイコン１０ａ〜１０ｆが、予め定められた座標位置に表示される。ここで、予め定められた座標位置は、空気調和機１ａ〜１ｆの設置場所に対応する平面図３０上の位置である。アイコン１０ａ〜１０ｆの表示および非表示は、制御部２１によって切り替えられる。なお、アイコン１０ａ〜１０ｆの配置は、設置場所に対応する平面図３０上に限定されるものではなく、グループまたはブロック毎に予め定められた座標位置に配置されても良い。
【００１５】  図３は、操作表示部２３に表示されるアイコン１０ａのレイヤー構成の一例を示す図である。アイコン１０ａは、空気調和機１ａに対応するアイコンである。なお、アイコン１０ｂ〜１０ｆについても、アイコン１０ａと同様のレイヤー構成を有するものとする。本実施の形態におけるアイコン１０ａは、複数の表示レイヤーが重ねられて構成される。具体的には、アイコン１０ａは、空気調和機表示レイヤー１１０ａ、エラー表示レイヤー１２０ａ、温度表示レイヤー１３０ａおよび運転状況表示レイヤー１４０ａを含む。
【００１６】  空気調和機表示レイヤー１１０ａは、基本レイヤーであり、操作対象となる空気調和機１ａを示す。エラー表示レイヤー１２０ａは空気調和機１ａの異常を表示する表示レイヤーである。空気調和機１ａに異常が発生している場合には、図３に示すようにエクスクラメーションマークが表示される。空気調和機１ａに異常が発生していない場合には、エクスクラメーションマークが表示されない。温度表示レイヤー１３０ａは空気調和機１ａの設定温の表示を示している。運転状況表示レイヤー１４０ａは空気調和機１ａにおける冷房、暖房または送風といった運転状況を表示する表示レイヤーである。図３は、空気調和機１ａが送風運転を行っている場合の表示を示している。エラー表示レイヤー１２０ａ、温度表示レイヤー１３０ａおよび運転状況表示レイヤー１４０ａの表示は空気調和機１ａの運転情報に対応するものであり、制御部２１によって空気調和機１ａの運転情報に応じて更新される。
【００１７】  図２に戻って、メニューボタン４０は、操作表示部２３に表示するアイコンの絞り込み条件を選択する際に押されるボタンである。図４は、メニューボタン４０が押された場合に操作表示部２３に表示される条件選択画面２３２の一例を示す。なお、別の実施の形態においては、メニューボタン４０を押した場合に、他の機能の操作画面を表示させてもよい。図４に示すように、条件選択画面２３２は、メニューボタン４０および条件表示部５０を含む。また、条件表示部５０は、絞り込み表示する条件に対応する複数の選択ボタン５０ａ〜５０ｄを含む。
【００１８】  具体的には、選択ボタン５０ａは、運転ＯＮを絞り込み条件とする場合に選択されるボタンである。選択ボタン５０ａが選択されることにより、制御部２１によって運転ＯＮの状態の空気調和機に対応するアイコンが絞り込み表示される。選択ボタン５０ｂは、運転ＯＦＦを絞り込み条件とする場合に選択されるボタンである。選択ボタン５０ｂが選択されることにより、制御部２１によって運転ＯＦＦの状態の空気調和機に対応するアイコンが絞り込み表示される。選択ボタン５０ｃは、エラーの発生を絞り込み条件とする場合に選択されるボタンである。選択ボタン５０ｃが選択されることにより、制御部２１によってエラーが発生している空気調和機に対応するアイコンが絞り込み表示される。選択ボタン５０ｄは、基準温度との設定温度差が大きい（例えば５℃以上）ことを絞り込み条件とする場合に選択されるボタンである。基準温度とは、例えば基準となる空気調和機における設定温度、または予め設定され、記憶部２２に記憶される温度である。選択ボタン５０ｄが選択されることにより、制御部２１によって温度差が大きい空気調和機に対応するアイコンが絞り込み表示される。
【００１９】  空調管理システム１００の管理者などによって、選択ボタン５０ａ〜５０ｄの何れかが選択されると、操作表示部２３によって絞り込み条件の入力が受け付けられる。制御部２１は、操作表示部２３が入力を受け付けた絞り込み条件に該当するアイコン１０ａ〜１０ｆのみを表示するよう、操作表示部２３を制御する。また、条件選択画面２３２に表示される絞り込み条件は、アイコン１０ａ〜１０ｆの各表示レイヤー（すなわち各運転情報）に対応する。条件選択画面２３２において、メニューボタン４０が押されると図２の管理画面２３１に戻る。
【００２０】  次に、制御部２１によって実行される操作表示部２３のアイコン表示処理について説明する。図５は、アイコン表示処理を示すフローチャートである。本処理では、まず、通信部２５を介して、空気調和機１ａ〜１ｆから運転情報が取得される（Ｓ１）。この場合の運転情報は、空気調和機１ａ〜１ｆにおける設定温度、運転状況（暖房、冷房または送付など）およびエラー情報（エラー発生の有無）を含む。そして、空調管理装置２に接続される全ての空気調和機１ａ〜１ｆから運転情報が取得されたかが判断され（Ｓ２）、全ての空気調和機１ａ〜１ｆから運転情報が取得されるまで、取得を継続する。そして、全ての空気調和機１ａ〜１ｆから運転情報が取得されると（Ｓ２：ＹＥＳ）、取得された運転情報が、記憶部２２に記憶される（Ｓ３）。
【００２１】  ここで、取得された運転情報は、空気調和機１ａ〜１ｆに対応するアイコン１０ａ〜１０ｆの各表示レイヤーに関連づけられたフラグとして記憶される。図６は、記憶部２２に記憶される運転情報の例を示す図であり、空気調和機１ａの運転情報を記憶する場合の例を示す。空気調和機１ａから運転情報が取得されると、空気調和機１ａに対応するアイコン１０ａのエラー表示レイヤー１２０ａ、温度表示レイヤー１３０ａおよび運転状況表示レイヤー１４０ａに関連付けられたフラグがそれぞれ設定され、記憶される。
【００２２】  具体的には、取得した運転情報のエラー情報が「エラー発生あり」の場合、エラー表示レイヤー１２０ａに関連付けられたフラグは１に設定される。一方、取得した運転情報のエラー情報が「エラー発生なし」の場合、エラー表示レイヤー１２０ａに関連付けられたフラグは０に設定される。また、例えば基準温度が２３℃の場合で、取得した運転情報の設定温度が「２０℃」の場合、温度差は小（５℃未満）となり、温度表示レイヤー１３０ａのフラグが０に設定される。一方、取得した運転情報の設定温度が「２８℃」の場合、温度差は大（５℃以上）となり、温度表示レイヤー１３０ａのフラグが１に設定される。さらに、取得した運転情報の運転状況が「送風運転」の場合、運転ＯＮであるため、運転状況表示レイヤー１４０ａのフラグが１に設定される。一方、取得した運転情報の運転状況が「運転ＯＦＦ」の場合、運転状況表示レイヤー１４０ａのフラグが０に設定される。
【００２３】  続いて、取得された運転情報に対応するように、エラー表示レイヤー１２０ａ、温度表示レイヤー１３０ａおよび運転状況表示レイヤー１４０ａの表示が更新される（Ｓ４）。ここでは、運転情報に応じて、表示レイヤー毎に表示が更新される。続いて、絞り込み表示を行うか否かが判断される（Ｓ５）。ここでは、条件選択画面２３２において、選択ボタン５０ａ〜５０ｄの何れかが選択された場合に、絞り込み表示を行うと判断される。ここで、絞り込み表示を行わない場合は（Ｓ５：ＮＯ）、全てのアイコン１０ａ〜１０ｆが表示され（Ｓ６）、処理を終了する。一方、絞り込み表示を行う場合は（Ｓ５：ＹＥＳ）、絞り込み表示処理が行われる（Ｓ７）。
【００２４】  図７は、絞り込み表示処理を示すフローチャートである。本処理では、まず、条件選択画面２３２にて、どの絞り込み条件が選択されたかが判断される（Ｓ１１）。そして、運転ＯＮが絞り込み条件として選択された場合（すなわち選択ボタン５０ａが選択された場合）、アイコン１０ａ〜１０ｆのうち、運転ＯＮに該当する表示レイヤーを有するアイコンのみが表示される。運転ＯＮに該当する表示レイヤーを有するか否かは、記憶部２２に記憶されるフラグを参照して判断される。具体的には、運転状況表示レイヤー１４０ａのフラグが１の場合に、運転ＯＮに該当する表示レイヤーを有すると判断される。これにより、管理画面２３１上には、運転ＯＮ状態の空気調和機に対応するアイコンのみが表示される（Ｓ１２）。
【００２５】  また、運転ＯＦＦが絞り込み条件として選択された場合（すなわち選択ボタン５０ｂが選択された場合）、アイコン１０ａ〜１０ｆのうち、運転ＯＦＦに該当する表示レイヤーを有するアイコンのみが表示される。運転ＯＦＦに該当する表示レイヤーを有するか否かは、記憶部２２に記憶されるフラグを参照して判断される。具体的には、運転状況表示レイヤー１４０ａのフラグが０の場合に、運転ＯＦＦに該当する表示レイヤーを有すると判断される。これにより、管理画面２３１上には、運転ＯＦＦ状態の空気調和機に対応するアイコンのみが表示される（Ｓ１３）。
【００２６】  また、エラー発生が絞り込み条件として選択された場合（すなわち選択ボタン５０ｃが選択された場合）、アイコン１０ａ〜１０ｆのうち、エラー発生に該当する表示レイヤーを有するアイコンのみが表示される。エラー発生に該当する表示レイヤーを有するか否かは、記憶部２２に記憶されるフラグを参照して判断される。具体的には、エラー表示レイヤー１２０ａのフラグが１の場合に、エラー発生に該当する表示レイヤーを有すると判断される。これにより、管理画面２３１上には、エラーが発生している状態の空気調和機に対応するアイコンのみが表示される（Ｓ１４）。
【００２７】  さらに、温度差大が絞り込み条件として選択された場合（すなわち選択ボタン５０ｄが選択された場合）、アイコン１０ａ〜１０ｆのうち、温度差大に該当する表示レイヤーを有するアイコンのみが表示される。温度差大に該当する表示レイヤーを有するか否かは、記憶部２２に記憶されるフラグを参照して判断される。具体的には、温度表示レイヤー１３０ａのフラグが１の場合に、温度差大に該当する表示レイヤーを有すると判断される。これにより、管理画面２３１上には、基準温度との温度差が大きい設定温度に設定された空気調和機に対応するアイコンのみが表示される（Ｓ１５）。
【００２８】  図８は、絞り込み表示処理が行われた管理画面２３１の一例を示す図である。図８では、運転ＯＮが絞り込み条件として選択された場合（すなわち選択ボタン５０ａが選択された場合）の例を示す。図８に示すように、運転ＯＮが絞り込み条件として選択された場合は、運転ＯＮ状態の空気調和機１ａ、１ｄおよび１ｆに対応するアイコン１０ａ、１０ｄおよび１０ｆのみが表示され、その他の空気調和機１ｂ、１ｃおよび１ｅに対応するアイコン１０ｂ、１０ｃおよび１０ｅは非表示とされる。また、このとき、アイコン１０ａ、１０ｄおよび１０ｆの座標位置は予め定められた座標位置のままである。そして、空調管理装置２の管理者は、アイコン１０ａ、１０ｄおよび１０ｆを操作して、空気調和機１ａ、１ｄおよび１ｆに制御信号を送信することができる。
【００２９】  上記のように、本実施の形態では、空気調和機１ａ〜１ｆに対応するアイコン１０ａ〜１０ｆを平面図３０上に表示させるとともに、運転情報に対応する絞り込み条件に応じて絞り込み表示を行うことができる。一般的に、絞り込みの際にアイコンを並べ替えて表示を行うことも考えられるが、この場合にはアイコンの表示位置が変わり、操作対象とする空気調和機を把握できなくなってしまう。これに対し、本実施の形態では、アイコン１０ａ〜１０ｆが表示される座標位置を変更することなく、アイコン１０ａ〜１０ｆの表示および非表示が切り替えられる構成とすることで、空気調和機１ａ〜１ｆの運転情報の認識性や操作性を向上させることができる。また、空調管理装置２が多数の空気調和機を管理する場合でも、必要な空気調和機に対応するアイコンを絞り込むことで、運転情報の認識性および操作性の低下を抑制することができる。また、アイコン１０ａ〜１０ｆの配置に関係なく表示が切り替えられるため、平面図３０の変更が必要な場合でも、高い認識性や操作性を得ることができる。さらに、アイコン１０ａ〜１０ｆを運転情報および絞り込み条件にそれぞれ対応する表示レイヤー構成とすることで、絞り込み表示処理を容易に行うことが可能となる。
【００３０】  以上が本発明の実施の形態の説明であるが、本発明は、上記実施の形態の構成に限定されるものではなく、その技術的思想の範囲内で様々な変形または組み合わせが可能である。例えば、本発明のアイコン１０ａのレイヤー構成は、図３に限定されるものではなく、１以上の任意の数の表示レイヤーを含むことができる。また、さらなる表示レイヤーを追加することで、表示する運転情報を増やすことができる。図９は、本発明の変形例におけるアイコン１０ａのレイヤー構成の一例を示す図である。本変形例では、アイコン１０ａは、上記実施の形態における表示レイヤーに加え、スケジュール表示レイヤー１５０ａ、省エネ表示レイヤー１６０ａ、ランキング表示レイヤー１７０ａおよび在室表示レイヤー１８０ａを含む。
【００３１】  スケジュール表示レイヤー１５０ａは、空気調和機１ａにおけるスケジュール機能のＯＮまたはＯＦＦを示す表示レイヤーである。スケジュール機能ＯＮの場合には、時計のマークが表示され、スケジュール機能ＯＦＦの場合には表示されない。省エネ表示レイヤー１６０ａは、空気調和機１ａにおける省エネ機能のＯＮまたはＯＦＦを示す表示レイヤーである。省エネ機能ＯＮの場合には、「省エネ」と表示され、省エネ機能ＯＦＦの場合には表示されない。ランキング表示レイヤー１７０ａは、空気調和機１ａ〜１ｆにおける電力量のランキングを示す表示レイヤーである。在室表示レイヤー１８０ａは、空気調和機１ａが設置される室内に人が検出されたか否かを示す表示レイヤーである。室内に人が検出された場合には、人のマークが表示され、未検出の場合は表示されない。
【００３２】  これらの追加された表示レイヤーも、上記実施の形態と同様に、空気調和機１ａ〜１ｆから取得した運転情報に対応し、制御部２１によって表示が更新される。また、空気調和機１ａ〜１ｆから取得した運転情報は、各表示レイヤーに関連付けられたフラグとして、記憶部２２に記憶される。
【００３３】  さらに、表示レイヤーを追加した場合、条件選択画面２３２における絞り込み条件も増やすことができる。図１０は、本変形例において、操作表示部２３に表示される条件選択画面２３２の一例を示す。図１０に示すように、条件選択画面２３２の条件表示部５０は、上記実施の形態における選択ボタン５０ａ〜５０ｃに加えて、選択ボタン５０ｅ〜５０ｋを含む。
【００３４】  具体的には、選択ボタン５０ｅは、スケジュールＯＮを絞り込み条件とする場合に選択されるボタンである。選択ボタン５０ｅが選択されることにより、制御部２１によってスケジュール機能がＯＮの状態の空気調和機に対応するアイコンが絞り込み表示される。選択ボタン５０ｆは、スケジュールＯＦＦを絞り込み条件とする場合に選択されるボタンである。選択ボタン５０ｆが選択されることにより、制御部２１によってスケジュール機能がＯＦＦの状態の空気調和機に対応するアイコンが絞り込み表示される。選択ボタン５０ｇは、省エネＯＮを絞り込み条件とする場合に選択されるボタンである。選択ボタン５０ｇが選択されることにより、制御部２１によって省エネ機能がＯＮの状態の空気調和機に対応するアイコンが絞り込み表示される。選択ボタン５０ｈは、省エネＯＦＦを絞り込み条件とする場合に選択されるボタンである。選択ボタン５０ｈが選択されることにより、制御部２１によって省エネ機能がＯＦＦの状態の空気調和機に対応するアイコンが絞り込み表示される。選択ボタン５０ｉは、電力量ランキング上位を絞り込み条件とする場合に選択されるボタンである。選択ボタン５０ｉが選択されることにより、制御部２１によって電力量ランキングが上位の空気調和機に対応するアイコンが絞り込み表示される。電力量ランキングの上位何位まで表示するかは、固定としても変更が可能としてもよい。選択ボタン５０ｊは、在室検出を絞り込み条件とする場合に選択されるボタンである。選択ボタン５０ｊが選択されることにより、制御部２１によって人が検出された部屋に設置されている空気調和機に対応するアイコンが絞り込み表示される。選択ボタン５０ｋは、在室未検出を絞り込み条件とする場合に選択されるボタンである。選択ボタン５０ｋが選択されることにより、制御部２１によって人が検出されていない部屋に設置されている空気調和機に対応するアイコンが絞り込み表示される。
【００３５】  そして、上記実施の形態と同様に、何れかの絞り込み条件が選択されることにより、選択された絞り込み条件に該当する空気調和機に対応するアイコンのみが管理画面２３１上に表示される。また、このときも上記実施の形態と同様に、記憶部２２に記憶されるフラグを参照して、各絞込み条件に該当する表示レイヤーを有するか否かが判断される。
【符号の説明】
【００３６】  １ａ〜１ｆ  空気調和機、２  空調管理装置、１０ａ〜１０ｆ  アイコン、２１  制御部、２２  記憶部、２３  操作表示部、２４  報知部、２５  通信部、３０  平面図、４０  メニューボタン、５０  条件表示部、５０ａ〜５０ｋ  選択ボタン、１００  空調管理システム、１１０ａ  空気調和機表示レイヤー、１２０ａ  エラー表示レイヤー、１３０ａ  温度表示レイヤー、１４０ａ  運転状況表示レイヤー、１５０ａ  スケジュール表示レイヤー、１６０ａ  省エネ表示レイヤー、１７０ａ  ランキング表示レイヤー、１８０ａ  在室表示レイヤー、２３１  管理画面、２３２  条件選択画面。
【図１】
2016103455.tif 000003
【図２】
2016103455.tif 000004
【図３】
2016103455.tif 000005
【図４】
2016103455.tif 000006
【図５】
2016103455.tif 000007
【図６】
2016103455.tif 000008
【図７】
2016103455.tif 000009
【図８】
2016103455.tif 000010
【図９】
2016103455.tif 000011
【図１０】
2016103455.tif 000012
【国際調査報告】
2016103455.tif 000013
2016103455.tif 000014
2016103455.tif 000015
2016103455.tif 000016